(57)【特許請求の範囲】
【請求項１】
開閉自在に並列したろ板（４，４）間に一対のろ布（５，５）を配設し、ろ板（４）の上方に設けたスプロケット（１８）に巻き掛けた駆動チェーン（２７）の一端にろ布（５，５）の上端部を連結し、ろ板（４）の下方に設けた一対のリターンロール（２０，２０）にろ布（５，５）の下端部を掛け回して駆動チェーン（２７）の他端に連結して、ろ布（５）を昇降自在としたフィルタープレスにおいて、
予めろ布（５）の収縮量と移動時間の相関式を算出して設定時間（Ｔ０）を定め、
ろ布（５）の移動開始から、
ろ布（５）の所定の部位が所定の位置まで移動する際の移動時間（Ｔ）を計測し、
移動時間（Ｔ）が設定時間（Ｔ０）以上の時に警報を発令する
ことを特徴とするフィルタープレスにおけるろ布収縮検知方法。
【請求項２】
前記設定時間（Ｔ０）を、多段階に設定する
ことを特徴とする請求項１に記載のフィルタープレスにおけるろ布収縮検知方法。
【請求項３】
開閉自在に並列したろ板（４，４）間に一対のろ布（５，５）を配設し、ろ板（４）の上方に設けたスプロケット（１８）に巻き掛けた駆動チェーン（２７）の一端にろ布（５，５）の上端部を連結し、ろ板（４）の下方に設けた一対のリターンロール（２０，２０）にろ布（５，５）の下端部を掛け回して駆動チェーン（２７）の他端に連結して、ろ布（５）を昇降自在としたフィルタープレスにおいて、
ろ布（５）の昇降開始を検知するろ布上昇検知装置（４０）あるいはろ布下降検知装置（４１）と、
ろ布（５）の所定の部位が所定の位置に移動したことを検知するろ布移動検知装置（５０）を配設すると共に、
予めろ布（１０）の収縮量と移動時間の相関式を算出して設定時間（Ｔ０）を定め、
ろ布（５）の移動時間（Ｔ）を計測する演算部（５１ａ）と、
移動時間（Ｔ）と設定時間（Ｔ０）とを比較する判別部（５１ｂ）と、
移動時間（Ｔ）が設定時間（Ｔ０）以上の時に警報を発する発令部（５１ｃ）とで構成した制御装置（５１）を有する
ことを特徴とするフィルタープレスにおけるろ布収縮検知装置。
【請求項４】
前記ろ布移動検知装置（５０）をフロントフレーム（１）に配設し、
ろ布（５）の下部ろ布芯金（２３）を検知する
ことを特徴とする請求項３に記載のフィルタープレスにおけるろ布収縮検知装置。
【請求項５】
前記駆動チェーン（２７）の下端部に、駆動チェーン（２７）の張力を調整する調整装置（２９）を有する
ことを特徴とする請求項３または４に記載のフィルタープレスにおけるろ布収縮検知装置。
【発明の詳細な説明】
【技術分野】
【０００１】
この発明は、上水汚泥、下水汚泥、または、産業排水汚泥等を処理するろ布走行型フィルタープレスに関し、特に、ろ布の収縮を検出するフィルタープレスにおけるろ布収縮検知方法並びに検知装置に関する。
【背景技術】
【０００２】
従来、大容量の汚泥を処理するフィルタープレスは、ろ過サイクル時間を短縮するために、ろ板間に吊設するろ布を走行させてケーキの排出時間を短縮している。このろ布は、乾いている時と濡れている時、また、新しい時と目詰まりした時では大きく伸縮する。特に、目詰まりした時は、その収縮量が３％以上にもなり、例えば、２ｍのろ布の場合には６０ｍｍ以上の収縮量を生じる。ろ布は上端部と下端部の芯板をチェーンで連結してろ板を周回させているので、ろ布が収縮するとチェーンを掛け回している上部のスプロケットと、ろ布を掛け回している下部のリターンロールに大きな張力がかかる。このように張力が大きくなると、ろ布支持用の芯金が曲がる、ろ布を走行させる駆動装置の負荷が増大する等の問題が発生する。
ろ布の伸縮を調整するろ布の昇降自在な吊設装置としては、例えば、ろ布の上縁部を止着した駆動帯に螺子杆を設けたクランプを接続し、ろ布の下端部をクランプの保持部に係合させて、螺子杆に螺合したナットでろ布の伸縮を調整するろ布の吊設装置を、特許文献１において本出願人が提案している。
そして、ろ布の収縮に対するろ布張り調整装置としては、例えば、ろ板の下部に垂下したブラケットの長穴にろ布の下端部を掛け回した案内ロールを挿通支持させて、案内ロールの位置をスプリングで上下させるろ布の吊設装置が、特許文献２に開示している。
【先行技術文献】
【特許文献】
【０００３】
【特許文献１】実公平８―９６３号公報
【特許文献２】実公昭６２−３６４８９号公報
【発明の概要】
【発明が解決しようとする課題】
【０００４】
上記従来のろ布の吊設装置は、ろ布に駆動チェーン等の走行帯をエンドレス状に連結し、上部のスプロケットと下部のリターンロールの間を昇降自在にろ布を吊設している。特許文献１のろ布の吊設装置は、定期的に交換が必要な消耗品のろ布の装着と取り外しが、短時間で容易に行えるものであるが、ろ布の収縮量はその都度計測する必要があり手間がかかる。
【０００５】
特許文献２に開示のろ布の吊設装置は、ろ布に巻き掛けた案内ロールをスプリングで押圧することで、ろ布の収縮に対する走行負荷を自動的に調整が可能となるが、ろ布の収縮量が増大するとスプリングの圧縮量が大きくなり、ろ布の張力が増加する。その為に走行負荷も高くなり、ろ布張力の調整が必要となる。
この発明は、ろ布の収縮を検知し、容易にろ布の張力を調整できるフィルタープレスにおけるろ布収縮検知方法並びに検知装置を提供する。
【課題を解決するための手段】
【０００６】
この発明に係るフィルタープレスにおけるろ布収縮検知方法は、開閉自在に並列したろ板間に一対のろ布を配設し、ろ板の上方に設けたスプロケットに巻き掛けた駆動チェーンの一端にろ布の上端部を連結し、ろ板の下方に設けた一対のリターンロールにろ布の下端部を掛け回して駆動チェーンの他端に連結して、ろ布を昇降自在としたフィルタープレスにおいて、予めろ布の収縮量と移動時間の相関式を算出して設定時間を定め、ろ布の移動開始から、ろ布の所定の部位が所定の位置まで移動する際の移動時間を計測し、移動時間が設定時間以上の時に警報を発令するもので、フィルタープレスの性能や機能に影響が出る前に、ろ布の収縮を検知して対処することができる。また、前記設定時間を、多段階に設定すると、ろ布収縮量に対して、駆動チェーンの張り調整及びろ布交換等の適切な処置を行うことができる。
【０００７】
この発明に係るフィルタープレスにおけるろ布収縮検知装置は、開閉自在に並列したろ板間に一対のろ布を配設し、ろ板の上方に設けたスプロケットに巻き掛けた駆動チェーンの一端にろ布の上端部を連結し、ろ板の下方に設けた一対のリターンロールにろ布の下端部を掛け回して駆動チェーンの他端に連結して、ろ布を昇降自在としたフィルタープレスにおいて、ろ布の昇降開始を検知するろ布上昇検知装置あるいはろ布下降検知装置と、ろ布の所定の部位が所定の位置に移動したことを検知するろ布移動検知装置を配設すると共に、予めろ布の収縮量と移動時間の相関式を算出して設定時間を定め、ろ布の移動時間を計測する演算部と、移動時間（Ｔ）と設定時間とを比較する判別部と、移動時間が設定時間以上の時に警報を発する発令部とで構成した制御装置を有するもので、フィルタープレスの運転に支障が出る前に、ろ布の収縮を検知できるので、定期的にろ布収縮量を計測する必要がない。
【０００８】
また、例えばろ布移動検知装置をフロントフレームに配設し、ろ布の下部ろ布芯金を検知すれば、高精度にろ布の移動時間を算出できる。さらに、駆動チェーンの下端部に、駆動チェーンの張力を調整する調整装置を有するので、駆動チェーンの張り調整を容易に行うことができる。
【発明の効果】
【０００９】
この発明のフィルタープレスにおけるろ布収縮検知方法並びに検知装置は上記のように構成してあり、フィルタープレスの運転に支障が出る前に、ろ布の収縮を自動的に検知できるので、定期的に作業員がろ布収縮量を計測する必要がない。具体的には、ろ布下降開始からろ布の所定の部位が所定の位置まで移動する移動時間を計測するものであり、既設のフィルタープレスにも適用できる。予めろ布の収縮量と移動時間との相関データを求めておけば、ろ布の移動時間からろ布収縮量（目詰まり度）を推測でき、限界収縮量となる時期も予測できる。
【図面の簡単な説明】
【００１０】
【図１】この発明に係るフィルタープレスの閉板時の概略側面図である。
【図２】同じく、ろ板の正面図である。
【図３】同じく、ろ板間に吊設したろ布の斜視図である。
【図４】同じく、ろ過室の縦断面図である。
【図５】同じく、ろ布の駆動装置の概略図である。
【図６】同じく、調整装置の要部拡大図である。
【図７】同じく、ろ布が上昇限に位置する時の模式図である。
【図８】同じく、ろ布が下降途中に位置する時の模式図である。
【図９】同じく、段階的に警報を発令するフローチャートである。
【発明を実施するための形態】
【００１１】
この発明に係るフィルタープレスにおけるろ布収縮検知装置を図面に基づき詳述すると、図１はろ布収縮検知装置を有するフィルタープレスの概略側面図である。フィルタープレスは、フロントフレーム１とリアーフレーム２に橋架したサイドレール３上に、摺動自在に載置した状態で前後方向に移動し得るようにした複数のろ板４と、これらのろ板４のろ過床面４ａを覆うように吊設されたろ布５とでろ過室６を形成している。
【００１２】
複数のろ板列の上方に、このろ板列に沿ってスライドシャフト７を設けてあり、スライドシャフト７には、ろ布５を吊設するベベルギアスライド８を軸方向に摺動自在に嵌入している。
リアーフレーム２には締付シリンダー９を支架し、締付シリンダー９を伸長させてムーバブルヘッド１０をフロントフレーム１方向に押圧することによりろ板４を閉板し、閉板したろ板４，４間のろ過室６に原液を供給すれば、ろ液はろ布５を通過して外部に排出される。ろ布５で捕捉された固形物はケーキ層を形成しながら脱水される。
【００１３】
脱水終了後、締付シリンダー９を収縮してろ板４を開板する。連結リンク１１によって決められた所定の間隔で、各ろ板４を一斉に開板することができる。そして、ろ布５の駆動装置１２を作動させて、ろ布５を下降走行させながら脱水ケーキを排出するようにしている。なお、並列するろ板４は、ろ板とダイアフラム板を交互に並列してもよいものである。
【００１４】
図２はろ板間に吊設したろ布の吊設装置の正面図であって、ろ布５の吊設装置１３は、ろ板４の上部に配設された上部吊設装置１３ａと、下部に配設された下部吊設装置１３ｂとからなる。  上部吊設装置１３ａは、ろ板４の両肩部に立設された一対の上部ブラケット１４，１５と、これらに支架されたろ布駆動軸１６と、ろ布駆動軸１６の一端に連結され一方の上部ブラケット１４に支架されたスライドギアハウジング１７と、ろ布駆動軸１６の両端部に嵌着された一対のスプロケット１８とを備える。  上部ブラケット１４は、ろ板４の一方の肩部に止着されており、この上部ブラケット１４の上端に、スライドギアハウジング１７が支持されている。一方、下部吊設装置１３ｂは、ろ板４の両側下端部に垂下した一対の下部ブラケット１９，１９と、これらに支架された２本のリターンロール２０及びノズルを有する洗浄管２１とを備える。
【００１５】
図３はろ板間に吊設したろ布の斜視図であって、一対の長方形のろ布５，５は、互いの上端部を合着した上で折り返して縫合した筒状の上端縁２２ａと、各々の下端部を折り返して縫合した一対の筒状の下端縁２３ａとを有する。上端縁２２ａ及び下端縁２３ａには、ろ布５の幅より長い上部ろ布芯金２２及び下部ろ布芯金２３がそれぞれ挿通されて止め付けられている。上部ろ布芯金２２の両端部には、タイトナーボルトを端部に有する駆動チェーン２７がそれぞれ連結されている。一対のろ布５の上方中央部には原液の給液板２５が挟持されている。給液板２５には、前面から後面に貫通する原液通路２６と、この原液通路２６の下側内周面から給液板２５の下端に貫通する給液路２６ａとが設けられている。
駆動チェーン２７には所定の位置に検知杆３９，３９を止着してあり、ろ布５が昇降する上昇限と下降限を、それぞれろ布上昇検知装置４０とろ布下降検知装置４１とで検知している。
【００１６】
図４はフィルタープレスのろ過室の縦断面図であって、ろ板４の上方部に駆動源に連設するスプロケット１８と、ろ板４の下方部に一対のリターンロール２０，２０を配設している。一対のろ布５，５の上端部に挿通した上部ろ布芯金２２がスプロケット１８に掛け回した駆動チェーン２７の一端に連結している。ろ布５，５の下端部は一対のリターンロール２０，２０にそれぞれ遠ざかる方向に掛け回して、ろ板４の前後のろ過床４ａに吊設したろ布５，５の下端部の下部ろ布芯金２３を係止具２８に係止している。係止具２８は調整装置２９を介して駆動チェーン２７の他端と連結している。駆動装置１２に連設するスプロケット１８を回動させて、開板したろ板４，４間に吊設するろ布５を昇降自在としている。
【００１７】
並列したろ板４・・・を閉板した時に、ろ布５に吊設した給液板２５を前後のろ板４，４に挟持させ、ろ板４のろ過床４ａに吊設した一対のろ布５，５間にろ過室６を形成させる。ろ板４の上方中央部に形成した原液供給路３０に給液板２５の原液通路２６を連通させて、ろ布５，５間のろ過室６に原液を圧入して固液分離を行なう。脱水後、並列したろ板４・・・を開板し、一対のろ布５，５を下方に走行させる。ろ板４，４下方の一対のリターンロール２０，２０でそれぞれ遠ざかる方向に屈曲走行する際に、ろ布５に付着したケーキは剥離される。なお、符号２１はろ布５に洗浄水を噴射するノズルである。
【００１８】
図５に示すように、スライドギアハウジング１７に軸支されたベベルギアスライド８は、ろ布駆動軸１６の端部に嵌着された入力ベベルギア３１と噛み合っている。この噛み合い状態は、ろ板４の開閉板動作中常に維持される。ベベルギアスライド８には、フィルタープレスの前後方向に延びる断面多角形状のスライドシャフト７がベベルギアスライド８に対して回動不能かつ軸方向に摺動自在に嵌合されている。
スライドギアハウジング１７及びこれを支持する上部ブラケット１４，１５は、閉板時に隣り合うろ板４の間で互いに干渉しないように、並列するろ板４の左右の肩部に交互に配設されている。このとき、各ろ板４のろ布駆動軸１６のスプロケット１８は、同一直線上に並ぶ。
【００１９】
ろ板４の上部ブラケット１４にスライドギアハウジング１７を介して摺動自在に支持された一対のスライドシャフト７は、図１に示すように、ろ板４の上方左右両側において、フィルタープレスの前後方向に互いに平行に延びている。各スライドシャフト７の前後端は、それぞれフロントフレーム１及びリアーフレーム２に回動自在に支持されている。一対のスライドシャフト７の前端は、それぞれ変換ギアを介して、リアーフレーム２上に設置した正逆転可能な駆動装置１２に連動連結されている。
この駆動装置１２を駆動させることにより、左右のスライドシャフト７を所定量回転させて、並列したろ板４間のろ布５を一斉に昇降させることができる。
【００２０】
図６は調整装置の要部拡大図であって、駆動チェーン２７の下端にターンバックル３３を連結し、ジョイントリンク３４を設けた一対のタイトナーボルト３５，３６の一方のタイトナーボルト３５を螺合している。タイトナーボルト３５に螺合したナット３７でタイトナーボルト３５をターンバックル３３に固定している。他方のタイトナーボルト３６は係止具２８に挿通し、ナット３８，３８で固定している。ターンバックル３３には目盛が刻まれており、ジョイントリンク３４でタイトナーボルト３５の挿入長さを調整することにより、駆動チェーン２７の張りを調節可能としている。
【００２１】
図７はろ布が上昇限に位置する時の模式図であって、フロントフレーム１の上方にろ布移動検知装置５０を配設している。ろ布移動検知装置５０は対向するろ板４に向かって配設し、フロントフレーム１とろ板４間を昇降するろ布５を検知する。
【００２２】
ろ板４・・・が閉板している状態（図１）では、図７に示すように、ろ布５はろ過床４ａ前面に位置するように、最上部（上昇限）へ上昇している。具体的には、ろ布５の上部を吊設している上部ろ布芯金２２がスプロケット１８の近傍まで上昇し、ろ布５の下部を吊設している下部ろ布芯金２３はリターンロール２０の近傍まで降下している。ろ板４を閉板して原液をろ過室６に供給する時は、常時ろ布５がこの位置に静止することで、ろ布５に吊設している供給板２５の原液通路２６をろ板４の原液供給路３０に連通させる。そのため、ろ布５が収縮して全長が短くなっても供給板２５の位置が偏らないように、ろ布５の上昇限は収縮しない部材で検知している。具体的には、図３に示すように駆動チェーン２７の所定の位置に検知杆３９を止着し、フロントフレーム１にろ布上昇検知装置４０を載置している。スプロケット１８に係合した駆動チェーン２７が回動し、ろ布５が上昇限に位置すると、駆動チェーン２７に止着した検知杆３９が上方からろ布上昇検知装置４０に接触して検知する。検知後、ろ布５を駆動させるための駆動装置１２を停止し、次工程に移行する。
【００２３】
上記のようにろ布５の上昇限を設定しているため、ろ布５が収縮するとその収縮量に伴って、ろ板４の閉板時には破線で示すようにろ布５の下部ろ布芯金２３がリターンロール２０に近接する。駆動チェーン２７は予め弛みをもたせているので、ろ布５の収縮に合わせて緊張し、ろ布５を走行させる駆動装置１２の負荷が増大することはない。
なお、ろ布５の上昇限の検知は、ろ布５収縮の影響の少ない上部ろ布芯金２２や給液板２５の位置を検知してもよい。
【００２４】
図８はろ布が下降途中の模式図であって、ろ布５が下降すると上部ろ布芯金２２がろ板４，４間の下方まで下がり、下部ろ布芯金２３がろ板４の上部近傍まで上昇する。ろ布５の下降限は、駆動チェーン２７の所定の位置に検知杆３９を止着し、フロントフレーム１に配設したろ布下降検知装置４１で検知している。スプロケット１８に係合した駆動チェーン２７が回動し、ろ布５が下降限に位置すると、駆動チェーン２７に止着した検知杆３９が下方からろ布下降検知装置４１に接触して検知する。検知後、ろ布５を駆動させるための駆動装置１２を停止し、次工程に移行する。下降時には常時ろ布５がこの位置となることで、リターンロール２０でろ布５を反転させてろ布５に付着するケーキを確実に剥離する。ろ布下降検知装置４１の検知が外れると、ろ布５が上昇を開始したことが分かる。
【００２５】
図７に示すように、ろ布５が収縮すると、開板時（ろ布５下降開始時）にろ布５の下端縁２３ａがリターンロール２０側に移動する。その状態からろ布５の下降を開始すると、ろ布５が収縮していない時と比較して、ろ布５の所定の部位が、所定の位置に下降するまでに時間を要する。ろ布５の下端縁２３ａに近い部位である程、下降開始時の位置が大きく移動しているため、所定の位置に下降するまでに要する時間が長くなる。
【００２６】
ろ布５が下降を開始すると、ろ布上昇検知装置４０から制御装置５１へ信号が送信される。その後、ろ布５の所定の部位が、所定の位置に下降した時に、ろ布移動検知装置５０で検知して、検知信号を制御装置５１に送信する。
なお、本実施例はろ布５が下降する際にろ布移動検知装置５０で検知しているが、ろ布５が上昇する際に検知してもよい。その場合は、ろ布下降検知装置４１にてろ布５の上昇を検知し、ろ布５の所定の部位が、所定の位置に上昇した時に、ろ布移動検知装置５０で検知する。また、ろ布移動検知装置５０でろ布５の所定の部位にてろ布５の下降限を検知してもよい。
【００２７】
制御装置５１は、ろ布５の移動開始からろ布移動検知装置５０で検知するまでの移動時間Ｔを算出する演算部５１ａと、移動時間Ｔと予め設定した設定時間Ｔ０とを比較する判別部５１ｂと、移動時間Ｔが設定時間Ｔ０以上の時に警報を発する発令部５１ｃとで構成されている。
【００２８】
図９は２段階で警報を発令するフローチャートである。必要に応じて多段階に設定して警報を発令するようにしても良い。ろ布５の収縮を検知する初期設定として、本実施例では、ろ布５が上昇限から所定の位置まで移動する際に要する上限時間を２段階に設定している。
【００２９】
ろ板４の開板工程が終了すると、ろ布５を下降させるための駆動装置１２が作動し、全てのろ布５・・・を一斉に下降させる。この時、駆動チェーン２７に止着している検知杆３９がろ布上昇検知装置４０から離れ、制御装置５１へ信号が送信される。
【００３０】
フロントフレーム１に配設しているろ布移動検知装置５０でろ布５の所定の部位が所定の位置まで移動したことを検知し、この時の検知信号を制御装置５１に送信する。本実施例では、ろ布移動検知装置５０をフロントフレーム１の上方に配設してあり、ろ布５の下部ろ布芯金２３がろ布移動検知装置５０の対向位置まで移動してきた際に検知信号を送信している。
なお、ろ布移動検知装置５０は必要に応じてリアーフレーム２やろ板４に配設してもよい。また、ろ布移動検知装置５０に非接触型の近接スイッチを用いているが、必要に応じて接触型のリミットスイッチ等も適宜選択できる。
【００３１】
制御装置５１では、演算部５１ａでろ布上昇検知装置４０からの信号受信から、ろ布移動検知装置５０の信号受信までの時間を計測する。これにより、ろ布５が下降開始から所定の位置に移動するまでの移動時間Ｔを算出する。下降開始の信号は駆動装置１２の作動開始を検知してもよい。
【００３２】
演算部５１ａで算出した移動時間Ｔと、初期設定時に予め設定した第一の設定時間Ｔ０’とを判別部５１ｂで比較する。ろ布５の移動に要した移動時間Ｔが設定時間Ｔ０’内であれば、次工程（ろ布上昇、ろ板閉板、原液供給、圧搾）に移行する。ろ布５の移動に要した移動時間Ｔが設定時間Ｔ０’以上であれば、発令部５１ｃは第一の警報を発する。警報は周知の音、光、操作盤への表示等、維持管理を行う作業員が気付くものであればよい。
【００３３】
第一の警報が発令されると、所定の作動後、次工程以降をキャンセルしてフィルタープレスの運転を停止する。本実施例では、一旦ろ布５を上昇限まで上昇させた後、フィルタープレスを停止させる。
駆動装置１２が停止すると、ろ布５の張り調整を行う。具体的には、ろ布５の収縮により下部ろ布芯金２３がリターンロール２０側に移動し、駆動チェーン２７の弛みに余裕がない状態となっている。そこで、調整装置２９を伸長して駆動チェーン２７に弛みを与える。
予めろ布５の収縮量と移動時間との関係式を算出しておけば、ろ布５が下降時に要した移動時間Ｔからろ布５の収縮量（目詰まり度）を推測することができ、第一の警報時に調整装置２９を伸長させる分量を決定できる。
【００３４】
調整装置２９を調整後、ろ板４を閉板して原液供給・脱水を行う。脱水工程に伴い、ろ布５はさらに収縮していく。第１段階と同様にろ布５の下降に要する移動時間Ｔを演算部５１ａで算出し、初期設定時に予め設定した第二の設定時間Ｔ０”と判別部５１ｂで比較する。ろ布５の移動に要した移動時間Ｔが設定時間Ｔ０”内であれば、次工程（ろ布上昇、ろ板閉板、原液供給・脱水）に移行する。ろ布５の移動に要した移動時間Ｔが設定時間Ｔ０”以上であれば、発令部５１ｃは第二の警報を発する。
【００３５】
第二の警報が発令されると、所定の作動後、次工程以降をキャンセルしてフィルタープレスの運転を停止する。
本実施例では、第２段階の設定時間Ｔ０”を調整装置２９の調整代がない場合、あるいはろ布５の目詰まりが激しく脱水性能に支障が出る場合を想定している。したがって、第二の警報が発令された場合、ろ布５を交換する。
ろ布５の交換後は、初期設定の第一の設定時間Ｔ０’で判別を行う。
【産業上の利用可能性】
【００３６】
この発明のフィルタープレスにおけるろ布収縮検知装置は、フィルタープレスの性能や機能に影響が出る前に、駆動チェーンの緊張やろ布の交換を検知できるので、維持管理が容易となる。運転時間とろ布の収縮量との関係から、限界収縮量となる時期を推測できるので、ろ布の保管庫に長時間保管して場所を占有することがなく、適切な時期に在庫を入手できる。小型から大型まですべてのフィルタープレスで適用でき、特殊なろ布形状でも適切な時期に予め発注を行えるものである。
【符号の説明】
【００３７】
１    フロントフレーム
４    ろ板
５    ろ布
１８  スプロケット
２０  リターンロール
２３  下部ろ布芯金
２７  駆動チェーン
２９  調整装置
４０  ろ布上昇検知装置
４１  ろ布下降検知装置
５０  ろ布移動検知装置
５１  制御装置
５１ａ  演算部
５１ｂ  判別部
５１ｃ  発令部
Ｔ    移動時間
Ｔ０  設定時間
【図１】
0005585890.tif 000002
【図２】
0005585890.tif 000003
【図３】
0005585890.tif 000004
【図４】
0005585890.tif 000005
【図５】
0005585890.tif 000006
【図６】
0005585890.tif 000007
【図７】
0005585890.tif 000008
【図８】
0005585890.tif 000009
【図９】
0005585890.tif 000010